(57)【特許請求の範囲】
【請求項１】
複数個の外輪とこれら複数個の外輪間に配置される間座と軸方向に隣接するとともに内周面がロールネックとルーズフィットされる少なくとも２個の内輪と、を備えた圧延機のロ−ルネック用軸受の密封装置において、
前記２つの内輪の対向面側端部に円筒部を形成して当該円筒部の側面同士を突き合わせて配置すると共に、これら２つの円筒部の突き合わせ部側に周段部を形成し、更に、環状のリブ付芯金とこれに固定される環状の弾性シ−ルとより成り且つ隣接するそれぞれの内輪の周段部の外周面と側面のそれぞれに摺接する少なくとも２つのラジアルリップ部と少なくとも２つのサイドリップ部とが該弾性シールに形成してあるシ−ル部材を、前記２つの周段部に跨がるよう配置することを特徴とする圧延機のロ−ルネック用軸受の密封装置。
【請求項２】
ロールと、複数個の外輪と、少なくとも２個の内輪を備え、これらの内輪の内周面が前記ロールのロールネックにルーズフィットする転がり軸受を備える圧延機用ロールであって、前記２つの内輪の対向面側端部に配置される圧延機のロ−ルネック用軸受の密封装置が、請求項１に記載の密封装置を用いた圧延機用ロ−ル。
【発明の詳細な説明】
【０００１】
【発明の属する技術分野】
この発明は、圧延機のロ−ルネック用軸受の密封装置、特に、少なくとも２個の内輪と、多列の円すいころ、又は円筒ころを有し、内輪間座を廃止して軸受負荷容量を向上させた圧延機のロ−ルネック用軸受の密封装置と、これを用いた圧延機のロールに関する。
【０００２】
【従来の技術】
近年の圧延機においては、圧延精度の向上のために多量の冷却水が使用され、、また、圧延荷重や圧延トルク低減のため圧延ロ−ルと被加工材料間に潤滑油（圧延油）が使用される。そしてこれらの冷却水や圧延油等が圧延ロ−ルのロ−ルネック用軸受部に多量にかかり、一部軸受内部に侵入する。このような冷却水、圧延油、スケ−ル等が軸箱内の軸受部に侵入すると、軸受寿命を大幅に短縮させかつ振動の原因となって圧延精度を劣化させる。かかる不都合を防止するため従来から軸受部を密封する種々の工夫がなされている（特公昭５５−２２６４８号、特公昭５４−６９６３９号等）。しかし、密封装置は、軸受及びロ−ルの取扱上、ロ−ルネックと軸受内輪とはル−ズフィットに嵌合されているものであり、冷却水や圧延油の侵入を防ぎ得なかったり、また、軸受用潤滑剤の漏出を阻止できず、或いはすべり運動による内輪端面の摩耗を促進するという問題があった。
【０００３】
上記するような従来技術の問題点を解決するため、図３に示すような、ロ−ルネック用軸受の密封装置が提案されている（実公平１−１４３２３号）。
このロ−ルネック用軸受の密封装置は、外輪１１と、これら外輪１１と外輪１１との間に配置される外輪間座１２と、内輪１４と、円すいころ１３と、保持器１５と、内輪間座１６と、シ−ル保持環１７、等で構成される。この密封装置では、内輪１４，１４には、内輪間座１６に接する端部外周に円筒部１４ａ，１４ａを設け、前記内輪間座１６を、内輪１４の円筒部１４ａの外周に臨む円筒部１６ａを有する断面Ｔ字形の環状体に形成し、該内輪間座１６の円筒部１６ａに、その内外周面を被覆するシ−ル部材１９を装着して、該シ−ル部材１９の内周面に設けたシ−ルリップ１９ａを内輪円筒部１４ａ外周面に摺接させた構成とするものである。
【０００４】
【発明が解決しようとする課題】
しかしながら、図３に示すような上記構成のロ−ルネック用軸受の密封装置は、内輪間座１６が特殊形状であるため加工が煩雑であり、シ−ル構造も複雑となって組立や取扱が難しいという問題があった。
【０００５】
この発明は、上記する課題に対処するためになされたものであり、部品点数を低減して密封構造を簡素化し、組立やメインテナンスが容易であり、且つ負荷容量も大きくすることのできる圧延機のロ−ルネック用軸受の密封装置および圧延機用ロールを提供することを目的としている。
【０００６】
【課題を解決するための手段】
即ち、この発明は、上記する課題を解決するために、請求項１に記載の発明は、複数個の外輪（１）とこれら複数個の外輪間に配置される間座（２）と軸方向に隣接するとともに内周面がロールネックとルーズフィットされる少なくとも２個の内輪（４）と、を備えた圧延機のロ−ルネック用軸受の密封装置において、
前記２つの内輪の対向面側端部に円筒部（４ａ，４ａ）を形成して当該円筒部の側面同士を突き合わせて配置すると共に、これら２つの円筒部の突き合わせ部側に周段部を形成し、更に、環状のリブ付芯金（６ａ）とこれに固定される環状の弾性シ−ル（６ｂ）とより成り且つ隣接するそれぞれの内輪の周段部（４ｅ，４ｅ）の外周面と側面（４ｆ，４ｆ）のそれぞれに摺接する少なくとも２つのラジアルリップ部（６ｂ1 ，６ｂ2 ）と少なくとも２つのサイドリップ部（６ｂ3 ，６ｂ4 ）とが該弾性シール（６ｂ）に形成してあるシ−ル部材（６）を、前記２つの周段部（４ｅ，４ｅ）に跨がるよう配置することを特徴とする。
【０００７】
また、請求項２に記載の発明は、ロールと、複数個の外輪（１）と、少なくとも２個の内輪（４，４）を備え、これらの内輪（４，４）の内周面が前記ロールのロールネックにルーズフィットする転がり軸受を備える圧延機用ロールであって、前記２つの内輪（４，４）の対向面側端部に配置される圧延機のロ−ルネック用軸受の密封装置が、請求項１に記載の密封装置を用いたものであることを特徴としている。
【０００８】
【発明の実施の形態】
以下、この発明の具体的実施の形態について図面を参照しながら説明する。
図１は、この発明の圧延機のロ−ルおよびロールネック用軸受の密封装置の一部断面図であり、図２は図１のＰ部拡大図である。この圧延機のロ−ルネック用軸受の密封装置は、複数に分割した外輪１と、これら外輪１と外輪１との間に配置される外輪間座２と、２個に分割して配置した内輪４と、これら外輪１と内輪４との間に配置された４列の円すいころ３と、これらの円すいころ３を保持する保持器５と、で構成される。そして、更に、前記内輪４と内輪４との内側に設けた円筒部４ａ，４ａの端面（４ｇ，４ｇ）どうしを突き合わせ接合し且つこれら２つの円筒部４ａ，４ａの両外周に跨がって嵌合するシ−ル部材６が配置されている。尚、前記内輪４の内周面４ｂには潤滑剤溜用の溝４ｃ，４ｃ，・・が設けてある。
【０００９】
また、前記外輪１の外部両側端部には、それぞれシ−ル保持環７，７を同心配置して取り付け、且つこれらシ−ル保持環７，７に保持された密封タイプのオイルシ−ル８，８が配置されている。そしてこれらオイルシ−ル８，８は、芯金に弾性シ−ル部材を焼付けて構成され、芯金部はシ−ル保持環７の内周面に圧入嵌合され、弾性シ−ル部は内輪端部に設けた円筒部４ｄの外周面に摺動接触させるようにしてある。
【００１０】
上記するように、前記２つの内輪４，４の突き合わせ側には、円筒部４ａ，４ａが形成され、更に、これらの円筒部４ａ，４ａには、周段部４ｅ，４ｅが形成されている。そして、これら２つの周段部４ｅ，４ｅに跨がるようにシ−ル部材６が嵌合固定されている。該シ−ル部材６は、芯金６ａに弾性シ−ル６ｂを焼付固定したものである。そして、このシ−ル部材６の弾性シ−ル６ｂには、前記円筒部４ａ，４ａに設けた周段部４ｅ，４ｅの外周表面に摺接させるラジアルリップ部６ｂ1 ，６ｂ2 と周段部４ｅ，４ｅの側面（４ｆ，４ｆ）に摺接させるサイドリップ部６ｂ3 ，６ｂ4 が形成されている。ただし、前記シ−ル部材６には、これらラジアルリップ部６ｂ1 ，６ｂ2 やサイドリップ部６ｂ3 ，６ｂ4 等は必ずしも形成する必要はなく、他のリップ形状、例えば多数の凹凸状のものとしてもよい。
【００１１】
上記構成のこの圧延機のロ−ルネック用軸受の密封装置において、２つの内輪４，４とロ−ルネック（図示省略）とはル−ズフィットであるが、内輪中心部の密封装置部分は、組立時これら内輪４，４の一方の周段部４ｅにシ−ル部材６を嵌め入れ、他方の周段部４ｅを突き合わせて嵌め入れるだけで簡単に組み込むことができる。また、該シ−ル部材６には、ラジアルリップ部６ｂ1 ，６ｂ2 とサイドリップ部６ｂ3 ，６ｂ4 とが設けられて二重シ−ル構造となっているので密封効果も大きくなる。更に、従来のように間座１６（図３参照）を設けていないのでその分軸受としての負荷容量も大きくなる。
【００１２】
【発明の効果】
以上詳述したように、この発明の圧延機のロ−ルネック用軸受の密封装置によれば、従来必要であった内輪間座を廃止し部品点数を低減することができる。また、この密封装置では、密封構造も単純化することができるので組立やメインテナンスも容易となる。更に、密封性能を向上させ且つ軸受容量を大きくすることができる。
【図面の簡単な説明】
【図１】  この発明のロールネック用軸受の密封装置およびこの密封装置を用いた延機のロ−ルの一部断面図である。
【図２】  図１のＰ部拡大図である。
【図３】  従来の圧延機のロ−ルネック用軸受の密封装置の一部断面図である。
【符号の説明】
１    外輪
２    外輪間座
３    円すいころ
４    内輪
４ａ  円筒部
４ｅ  周段部
４ｆ 側面
５    保持器
６    シ−ル部材
６ａ  芯金
６ｂ  弾性シ−ル
６ｂ1,６ｂ2   ラジアルリップ部
６ｂ3,６ｂ4   サイドリップ部
【図１】
0003682594.tif 000002
【図２】
0003682594.tif 000003
【図３】
0003682594.tif 000004